(57)【特許請求の範囲】
【請求項１】
透過光の透過波長が所定方向に沿って第１波長から前記第１波長より長い第２波長まで連続的に変化する第１フィルタと、
光源と前記第１フィルタとの間に配置され、前記第１フィルタを透過する前記透過光の強度が前記第１波長から前記第２波長までの区間において略同一になるように、前記光源からの光の強度を波長ごとに調節する第２フィルタと、
前記第１フィルタの近傍に設けられ、前記第１フィルタへの入射光または前記第１フィルタからの前記透過光の一部を遮蔽する遮蔽部材を備え、
前記遮蔽部材は、前記所定方向に沿って配置された、前記透過波長の指標となる光を通過させる少なくとも２つの非遮蔽部を備える分光装置。
【請求項２】
請求項１に記載の分光装置において、
前記光源と前記第１フィルタとの間に配置され、前記第１波長以下の波長の光および前記第２波長以上の波長の光を遮蔽する第３フィルタを備える分光装置。
【請求項３】
請求項２に記載の分光装置において、
前記第２フィルタと前記第３フィルタとを一体に形成したフィルタ部材を備える分光装置。
【請求項４】
請求項３に記載の分光装置において、
前記２つの非遮蔽部は、前記第１フィルタの前記透過光を通過させる分光装置。
【請求項５】
請求項１〜４のいずれか一項に記載の分光装置において、
前記第１フィルタを複数備える分光装置。
【請求項６】
請求項１〜５のいずれか一項に記載の分光装置において、
前記光源と前記第１フィルタの間に配置され、前記光源から前記第１フィルタに向かう光を、当該光のスペクトルを維持したまま減光させる光量調節手段を備える分光装置。
【請求項７】
第１領域と、前記第１領域よりも第１方向側に備えられた第２領域とを有し、第１波長の光の透過特性が前記第２領域よりも前記第１領域において高く、第２波長の光の透過特性が前記第１領域よりも前記第２領域において高い第１フィルタと、
前記第１領域を通過した光を遮光しない第１非遮光部と、前記第１非遮光部よりも前記第１方向側に備えられ前記第２領域を通過した光を遮光しない第２非遮光部とを有し、前記第１領域又は前記第２領域を通過した光を遮光する遮光部材とを有する分光装置。
【請求項８】
請求項７に記載の分光装置において、
前記遮光部材は、前記第１領域を通過した光及び前記第２領域を通過した光を遮光しない第３非遮光部を有する分光装置。
【請求項９】
請求項７又は請求項８に記載の分光装置において、
光源と前記第１フィルタとの間に備えられ、前記第１フィルタを透過する前記第１波長の光の強度と前記第１フィルタを透過する前記第２波長の光の強度とが略同一になるようにするフィルタを有する分光装置。
【請求項１０】
第１領域と、前記第１領域よりも第１方向側に備えられた第２領域とを有し、第１波長の光の透過特性が前記第２領域よりも前記第１領域において高く、第２波長の光の透過特性が前記第１領域よりも前記第２領域において高い第１フィルタと、
第３領域と、前記第３領域よりも前記第１方向側に備えられた第４領域とを有し、前記第１波長の光の透過特性が前記第４領域よりも前記第３領域において高く、前記第２波長の光の透過特性が前記第３領域よりも前記第４領域において高く、前記第１フィルタよりも第２方向側に備えられた第２フィルタと、
前記第１領域及び前記第２領域を通過した光を遮光しない第１非遮光部と、前記第１非遮光部よりも前記第２方向側に備えられ前記第３領域及び前記第４領域を通過した光を遮光しない第２非遮光部とを有し、前記第１領域、前記第２領域、前記第３領域又は前記第４領域を通過した光を遮光する遮光部材とを有する分光装置。
【請求項１１】
請求項１０に記載の分光装置において、
前記第１フィルタと前記第２フィルタとは、略同一のフィルタ特性を有する分光装置。
【請求項１２】
請求項１０又は請求項１１に記載の分光装置において、
前記第１フィルタ又は前記第２フィルタと光源との間に備えられ、前記第１フィルタ又は前記第２フィルタを透過する前記第１波長の光の強度と、前記第１フィルタ又は前記第２フィルタを透過する前記第２波長の光の強度とが略同一になるようにする第３フィルタを有する分光装置。
【請求項１３】
第１領域と、前記第１領域よりも第１方向側に備えられた第２領域とを有し、第１波長の光の透過特性が前記第２領域よりも前記第１領域において高く、第２波長の光の透過特性が前記第１領域よりも前記第２領域において高い第１フィルタと、前記第１領域を通過した光を遮光しない第１非遮光部と、前記第１非遮光部よりも前記第１方向側に備えられ前記第２領域を通過した光を遮光しない第２非遮光部とを有し前記第１領域又は前記第２領域を通過した光を遮光する遮光部材とを有する分光装置を用いて得られたデータを解析する解析部と、
前記第１非遮光部、及び、前記第２非遮光部を含む画像を表示する表示部とを備える分光感度解析装置。
【請求項１４】
請求項１３に記載の分光感度解析装置において、
前記遮光部材は、前記第１領域を通過した光及び前記第２領域を通過した光を遮光しない第３非遮光部を有し、
前記表示部は、前記第３非遮光部を含む画像を表示する分光感度解析装置。
【請求項１５】
第１領域と、前記第１領域よりも第１方向側に備えられた第２領域とを有し、第１波長の光の透過特性が前記第２領域よりも前記第１領域において高く、第２波長の光の透過特性が前記第１領域よりも前記第２領域において高い第１フィルタと、
第３領域と、前記第３領域よりも前記第１方向側に備えられた第４領域とを有し、前記第１波長の光の透過特性が前記第４領域よりも前記第３領域において高く、前記第２波長の光の透過特性が前記第３領域よりも前記第４領域において高く、前記第１フィルタよりも第２方向側に備えられた第２フィルタと、
前記第１領域及び前記第２領域を通過した光を遮光しない第１非遮光部と、前記第１非遮光部よりも前記第２方向側に備えられ前記第３領域及び前記第４領域を通過した光を遮光しない第２非遮光部とを有し、前記第１領域、前記第２領域、前記第３領域又は前記第４領域を通過した光を遮光する遮光部材とを有する分光装置を用いて得られたデータを解析する解析部と、
前記第１非遮光部、及び、前記第２非遮光部を含む画像を表示する表示部とを備える分光感度解析装置。
【請求項１６】
請求項１５に記載の分光感度解析装置において、
前記遮光部材は、前記第１領域を通過した光を遮光しない第３非遮光部と、前記第３非遮光部よりも前記第１方向側に備えられ前記第２領域を通過した光を遮光しない第４非遮光部とを有し、
前記表示部は、前記第３非遮光部及び前記第４非遮光部を含む画像を表示する分光感度解析装置。
【発明の詳細な説明】
【技術分野】
【０００１】
本発明は、分光装置および分光感度解析装置に関する。
【背景技術】
【０００２】
従来、所定方向に沿って透過波長が異なるように形成された波長選択フィルタ（リニアバリアブルフィルタ）を用いた分光測定装置が知られている。例えば特許文献１には、対象物体像をヴィネッティング無しで且つテレセントリックに波長選択フィルタ上に結像させる分光測定装置が記載されている。
【先行技術文献】
【特許文献】
【０００３】
【特許文献１】特開２０１１−２２６８７６号公報
【発明の概要】
【発明が解決しようとする課題】
【０００４】
特許文献１に記載されている分光測定装置には、波長選択フィルタを透過する光の強度が波長により異なってしまうという問題があった。波長により強度が異なってしまうと、強度の弱い波長帯で被測定物の信号ノイズが大きくなり、正確な分光感度測定ができなくなってしまう。
【課題を解決するための手段】
【０００５】
請求項１に記載の分光装置は、透過光の透過波長が所定方向に沿って第１波長から前記第１波長より長い第２波長まで連続的に変化する第１フィルタと、光源と前記第１フィルタとの間に配置され、前記第１フィルタを透過する前記透過光の強度が前記第１波長から前記第２波長までの区間において略同一になるように、前記光源からの光の強度を波長ごとに調節する第２フィルタと、前記第１フィルタの近傍に設けられ、前記第１フィルタへの入射光または前記第１フィルタからの前記透過光の一部を遮蔽する遮蔽部材を備え、前記遮蔽部材は、前記所定方向に沿って配置された、前記透過波長の指標となる光を通過させる少なくとも２つの非遮蔽部を備える。
請求項７に記載の分光装置は、第１領域と、前記第１領域よりも第１方向側に備えられた第２領域とを有し、第１波長の光の透過特性が前記第２領域よりも前記第１領域において高く、第２波長の光の透過特性が前記第１領域よりも前記第２領域において高い第１フィルタと、前記第１領域を通過した光を遮光しない第１非遮光部と、前記第１非遮光部よりも前記第１方向側に備えられ前記第２領域を通過した光を遮光しない第２非遮光部とを有し、前記第１領域又は前記第２領域を通過した光を遮光する遮光部材とを有する。
請求項１０に記載の分光装置は、第１領域と、前記第１領域よりも第１方向側に備えられた第２領域とを有し、第１波長の光の透過特性が前記第２領域よりも前記第１領域において高く、第２波長の光の透過特性が前記第１領域よりも前記第２領域において高い第１フィルタと、第３領域と、前記第３領域よりも前記第１方向側に備えられた第４領域とを有し、前記第１波長の光の透過特性が前記第４領域よりも前記第３領域において高く、前記第２波長の光の透過特性が前記第３領域よりも前記第４領域において高く、前記第１フィルタよりも第２方向側に備えられた第２フィルタと、前記第１領域及び前記第２領域を通過した光を遮光しない第１非遮光部と、前記第１非遮光部よりも前記第２方向側に備えられ前記第３領域及び前記第４領域を通過した光を遮光しない第２非遮光部とを有し、前記第１領域、前記第２領域、前記第３領域又は前記第４領域を通過した光を遮光する遮光部材とを有する。
請求項１３に記載の分光感度解析装置は、第１領域と、前記第１領域よりも第１方向側に備えられた第２領域とを有し、第１波長の光の透過特性が前記第２領域よりも前記第１領域において高く、第２波長の光の透過特性が前記第１領域よりも前記第２領域において高い第１フィルタと、前記第１領域を通過した光を遮光しない第１非遮光部と、前記第１非遮光部よりも前記第１方向側に備えられ前記第２領域を通過した光を遮光しない第２非遮光部とを有し前記第１領域又は前記第２領域を通過した光を遮光する遮光部材とを有する分光装置を用いて得られたデータを解析する解析部と、前記第１非遮光部、及び、前記第２非遮光部を含む画像を表示する表示部とを備える。
請求項１５に記載の分光感度解析装置は、第１領域と、前記第１領域よりも第１方向側に備えられた第２領域とを有し、第１波長の光の透過特性が前記第２領域よりも前記第１領域において高く、第２波長の光の透過特性が前記第１領域よりも前記第２領域において高い第１フィルタと、第３領域と、前記第３領域よりも前記第１方向側に備えられた第４領域とを有し、前記第１波長の光の透過特性が前記第４領域よりも前記第３領域において高く、前記第２波長の光の透過特性が前記第３領域よりも前記第４領域において高く、前記第１フィルタよりも第２方向側に備えられた第２フィルタと、前記第１領域及び前記第２領域を通過した光を遮光しない第１非遮光部と、前記第１非遮光部よりも前記第２方向側に備えられ前記第３領域及び前記第４領域を通過した光を遮光しない第２非遮光部とを有し、前記第１領域、前記第２領域、前記第３領域又は前記第４領域を通過した光を遮光する遮光部材とを有する分光装置を用いて得られたデータを解析する解析部と、前記第１非遮光部、及び、前記第２非遮光部を含む画像を表示する表示部とを備える。
【発明の効果】
【０００６】
本発明によれば、各波長の強度が均一な光を出射する分光装置を提供することができる。
【図面の簡単な説明】
【０００７】
【図１】本発明の第１の実施の形態に係る分光感度測定システムを構成する分光装置の斜視図である。
【図２】分光装置１の構成を示すブロック図である。
【図３】第１ブロック１１が備える、照明レンズ１０７ａの後段に設けられたＬＶＦ１０８ａの模式図である。
【図４】フラット化フィルタ１０４ａの分光透過特性の一例を示す図である。
【図５】第１発光部１０の近傍に配置されたＬＶＦ１０８ａ、遮光板１０９ａ、および拡散板１１０ａの模式図である。
【図６】分光感度解析装置の表示画面の一例を示す図である。
【図７】本発明の第２の実施の形態に係る分光感度測定システムを構成する分光装置の構成を示すブロック図である。
【図８】本発明の第３の実施の形態に係る分光感度測定システムを構成する分光装置の構成を示すブロック図である。
【発明を実施するための形態】
【０００８】
以下、図面を用いて、本発明を適用した分光装置を含む分光感度測定システムについて説明する。
【０００９】
（第１の実施の形態）
図１は、本発明の第１の実施の形態に係る分光感度測定システムを構成する分光装置の斜視図である。本実施形態の分光感度測定システムは、カメラ等の光学機器の分光感度を測定するシステムであり、図１に示す分光装置１と、後述する分光感度解析装置とから構成される。以下では、デジタルカメラ２の分光感度を測定する例について説明する。
【００１０】
分光装置１は、その一面に第１発光部１０および第２発光部２０を備えている。分光装置１は、第１発光部１０から、約３９０ナノメートル〜７１０ナノメートルの波長を有する光（いわゆる可視光）を出射する。また、第２発光部２０からは、約６３０ナノメートル〜１１５０ナノメートルの波長を有する光（いわゆる近赤外光）が出射される。分光感度測定システムの利用者は、測定対象のデジタルカメラ２で、上記の光を出射していない状態（光源をオフにした状態）の第１発光部１０および第２発光部２０と、上記の光が出射されている状態（光源をオンにした状態）の第１発光部１０および第２発光部２０とを撮影する。そして、デジタルカメラ２から出力される撮影画像を、後述する分光感度解析装置により解析し、その光学機器の分光感度を得る。
【００１１】
（分光装置１の構成）
図２は、分光装置１の構成を示すブロック図である。分光装置１は、第１発光部１０に対応する第１ブロック１１と、第２発光部２０に対応する第２ブロック２１とを備えている。以下、まず第１発光部１０に対応する第１ブロック１１について説明する。
【００１２】
第１ブロック１１は、可視光線（例えば３９０ナノメートル〜７１０ナノメートル程度の波長域の成分を有する光）を出射する光源１０１ａを備える。光源１０１ａは、例えばキセノンランプなどにより構成される。光源１０１ａから出射した光は、コリメートレンズ１０２ａによりコリメートされ平行光になる。この平行光は、光量調節部１０３ａにより減光され、適切な光量に調節される。光量調節部１０３ａは、いわゆるＮＤフィルタ等ではなく、メッシュスクリーン方式などにより、光源１０１ａからの光のスペクトルを変化させない構成とすることが望ましい。光量調節部１０３ａを通過した光は、光量調節部１０３ａに対して角度を付けて設置されたフラット化フィルタ１０４ａに入射する。フラット化フィルタ１０４ａが角度を付けて設置されているのは、フラット化フィルタ１０４ａを透過しなかった光が迷光とならないようにするためである。なお、フラット化フィルタ１０４ａの詳細については後に詳述する。
【００１３】
フラット化フィルタ１０４ａを通過した平行光は、集光レンズ１０５ａにより集光され、バンドルファイバ１０６ａの一端に入射する。バンドルファイバ１０６ａは分光装置１の内部において、他端が第１発光部１０に向けられている。すなわち、バンドルファイバ１０６ａの光源１０１ａ側の一端に入射した光は、バンドルファイバ１０６ａの他端から第１発光部１０に向かって出射される。この光は、バンドルファイバ１０６ａの他端と第１発光部１０との間に設けられた照明レンズ１０７ａにより再度平行光にされ、第１発光部１０の近傍に設置されたリニアバリアブルフィルタ（ＬＶＦ）１０８ａに照明される。なお、ＬＶＦ１０８ａについては後に詳述する。ＬＶＦ１０８ａを透過した光は、その一部が遮光板１０９ａにより遮光される。遮光板１０９ａは開口部を備えており、遮光されなかった光はこの開口部を通過して拡散板１１０ａに至る。拡散板１１０ａは第１発光部１０に面しており、第１発光部１０からは、拡散板１１０ａにより拡散された光が出射する。
【００１４】
次に、第２発光部２０に対応する第２ブロック２１について説明する。第２ブロック２１は、近赤外線（例えば６３０ナノメートル〜１１５０ナノメートル程度の波長域の成分を有する光）を出射する光源１０１ｂを備える。光源１０１ｂは、例えばハロゲンランプなどにより構成される。光源１０１ｂから出射した光は、光源１０１ａから出射した光と同様に、第１ブロック１１と同様に配置されたコリメートレンズ１０２ｂ、光量調節部１０３ｂ、フラット化フィルタ１０４ｂ、集光レンズ１０５ｂ、バンドルファイバ１０６ｂ、照明レンズ１０７ｂ、ＬＶＦ１０８ｂ、遮光板１０９ｂ、および拡散板１１０ｂを通過して、第２発光部２０より出射する。
【００１５】
このように、分光装置１は、波長域が異なる２種類の光をそれぞれ出射する２つの発光部を備えているので、デジタルカメラ２の分光感度を、可視光域から近赤外域までの広い範囲で計測することができる。
【００１６】
（リニアバリアブルフィルタの説明）
図３は、第１ブロック１１が備える、照明レンズ１０７ａの後段に設けられたＬＶＦ１０８ａの模式図である。ＬＶＦ１０８ａは、透過光の透過波長が所定方向に沿って約３８０ナノメートル〜約７１０ナノメートルまで連続的に変化する光学フィルタである。なお、以下の説明において、紙面の横方向（矢印Ｘにより表す方向）をｘ軸と規定する。
【００１７】
図３（ａ）に示すように、ＬＶＦ１０８ａはｘ＝０からｘ＝Ｎまでの各座標において、波長ごとの透過光量が連続的に変化するように構成されている。例えば、ｘ＝０近傍では約３８０ナノメートルの波長の光を最もよく透過させ、ｘ＝Ｎ近傍では約７１０ナノメートルの波長の光を最もよく透過させる。それ以外の位置では、ｘが大きいほど長い波長の光を透過させるように構成されている。図３（ｂ）に、各ｘ座標ごとに最も多くの光が透過する波長（透過光量がピークとなる波長）をプロットしたグラフを示す。
【００１８】
なお、第２ブロック２１が備えるＬＶＦ１０８ｂは、波長域が約６３０ナノメートル〜１１５０ナノメートルであることを除き、ＬＶＦ１０８ａと同一の構成であるので、説明を省略する。
【００１９】
（フラット化フィルタの説明）
次に、第１ブロック１１が備える、ＬＶＦ１０８ａの前段に設けられたフラット化フィルタ１０４ａについて説明する。フラット化フィルタ１０４ａは、ＬＶＦ１０８ａを透過する透過光の強度が可視光線の波長域（例えば３９０ナノメートル〜７１０ナノメートル程度の波長域）において略同一になるように、光源１０１ａからの光の強度を波長ごとに調節する（減衰させる）フィルタである。
【００２０】
光源１０１ａからは、可視光線に対応する上記の波長域の光が出射するが、その強度は各波長ごとにばらつきがある。また、光源１０１ａから第１発光部１０までの間に存在する各光学部材は、それぞれ独自の分光透過特性を有しているため、それら光学部材を透過する際にも各波長の光の強度は変化する。フラット化フィルタ１０４ａは、ＬＶＦ１０８ａを出射する（第１発光部１０を出射する）時点において、このような波長ごとの光の強度の違いがなくなるように透過光の強度を変化させる光学フィルタである。すなわち、第１発光部１０から出射する光は、上記の波長域の全域に渡って略均一な強度を有する。フラット化フィルタ１０４ａは更に、上記の波長域に含まれない余分な光を遮蔽するように構成されている。
【００２１】
図４は、フラット化フィルタ１０４ａの分光透過特性の一例を示す図である。図４のグラフは、横軸が波長、縦軸が強度を表している。フラット化フィルタ１０４ａの設計は、フラット化フィルタ１０４ａ以外の各光学部材を配置したときに、第１発光部１０から出射される光の波長ごとの強度を測定することにより行うことができる。例えば、フラット化フィルタ１０４ａ以外の各光学部材を配置したとき、第１発光部１０からはスペクトル３０が得られたとする。このとき、フラット化フィルタ１０４ａは、符号４０により表される分光透過特性を持たせればよい。符号４０により表される分光透過特性を有するフラット化フィルタ１０４ａを挿入することで、第１発光部１０から出射される光のスペクトル５０は、各波長において概ね均一になる。
【００２２】
一般的な干渉フィルタ（例えばバンドパスフィルタなど）により波長毎の透過率を制御することは困難であるが、薄膜を数十から数百層に成膜することが可能であれば、図４のような透過率を有するフラット化フィルタ１０４ａを製造することが可能である。例えば本願出願人は、ＳｉＯ２およびＮｂ２Ｏ５の薄膜の高精度な多層積層構造を成膜できる自動誤差補正システムを、スパッタリング装置に適用し使用している。この自動誤差補正システムによれば、成膜後の誤差を計測してそれ以降の層の膜厚を修正していくことにより、数十〜数百層の成膜を高精度に行い、最終的な所望の分光透過特性に極限まで近づけていくことができる。
【００２３】
なお、フラット化フィルタ１０４ｂについても同様に、ＬＶＦ１０８ｂを出射する（第２発光部２０を出射する）時点において、上記のような波長ごとの光の強度の違いがなくなるように透過光の強度を変化させる光学フィルタとして製造すればよい。
【００２４】
（第１発光部１０の説明）
図５は、第１発光部１０の近傍に配置されたＬＶＦ１０８ａ、遮光板１０９ａ、および拡散板１１０ａの模式図であり、図５（ａ）には分光装置１の正面から見た（図１の斜視図におけるデジタルカメラ２の位置から見た）様子が、図５（ｂ）には側面から見た様子がそれぞれ示されている。
【００２５】
図５（ｂ）に示すように、分光装置１は、２つのＬＶＦ１０８ａを備えている。これは、製造工程の都合上、ＬＶＦ１０８ａは透過波長が変化する方向（ｘ方向）を長辺とした長方形状になり、１つのＬＶＦ１０８ａだけでは透過光が出射する領域の面積を大きくすることが困難なためである。
【００２６】
図５（ａ）に示すように、遮光板１０９ａには、透過波長が変化する方向に沿った長方形状の開口部６０ａ、６０ｂが設けられている。遮光板１０９ａは、２つのＬＶＦ１０８ａからの透過光の一部を遮蔽し、残りの光をこれら２つの開口部６０ａ、６０ｂから通過させる。また、これらの開口部６０ａ、６０ｂの周辺の所定位置には、透過波長の指標となる光を通過させるピンホール６１が空けられている。
【００２７】
ピンホール６１には、例えば４００ナノメートル、５００ナノメートルなど、ＬＶＦ１０８ａの所定の透過波長に対応する位置に設けられたもの（点線の枠６２で表したもの）と、開口部６０ａ、６０ｂの短辺方向の中央に設けられたもの（破線の枠６３で表したもの）とが含まれる。前者のピンホール６１は、ＬＶＦ１０８ａのｘ方向に沿って配置されている。ピンホール６１は、例えば分光装置１の組立時に、遮光板１０９ａとＬＶＦ１０８ａとの位置合わせのために用いられる他、デジタルカメラ２により撮影された第１発光部１０の像から、デジタルカメラ２の分光感度を演算する際にも利用される（詳細は後述する）。遮光板１０９ａにより遮光されなかったＬＶＦ１０８ａの透過光は、拡散板１１０ａに入射する。これにより、ＬＶＦ１０８ａの透過光は、いったん拡散板１１０ａの上に像を結ぶ。
【００２８】
なお、第２発光部２０の構成は、以上で説明した第１発光部１０の構成と同様であるため、説明を省略する。
【００２９】
（分光感度解析装置の説明）
次に、本実施形態の分光感度測定システムに含まれる、分光感度解析装置について説明する。本実施形態の分光感度解析装置は、ＣＰＵや表示装置、入力装置等を備えたコンピュータと、ＣＰＵにより実行される分光感度解析プログラムとから構成される。なお、以下では説明を簡単にするため、第１発光部１０についてのみ説明を行うが、第２発光部２０についても同様の手順で分光感度の解析が成される。
【００３０】
図６は、分光感度解析装置の表示画面の一例を示す図である。利用者はまず、解析対象の光学機器により第１発光部１０を撮影した結果（光源１０１ａがオフの場合と、光源１０１ａがオンの場合の２つの結果）を分光感度解析装置に入力する。分光感度解析装置は、入力された撮影結果を画面７０の画像データ表示領域７１に表示する。その後、利用者は、例えばマウス等の入力装置を用いて、画像データ表示領域７１に表示された第１発光部１０の撮影画像上の、ピンホール６１の位置を入力する。前述の通り、ピンホール６１の位置は特定の波長と対応しているため、分光感度解析装置は入力されたピンホール６１の位置から、開口部６０ａ、６０ｂ上の各位置に対応する透過波長を特定することができる。分光感度解析装置は、そのようにして特定された各波長ごとの光の受光出力に基づいて、分光感度を解析し、分光分布表示領域７２に表示する。なお、分光感度解析装置は、光源１０１ａがオンの場合の撮影結果から光源１０１ａがオフの場合の撮影結果を減算することにより、外光等によるバックグラウンドデータを除去する。
【００３１】
上述した第１の実施の形態による分光感度測定システムによれば、次の作用効果が得られる。
（１）分光装置１は、透過光の透過波長がｘ方向に沿って３９０ナノメートルから７１０ナノメートルまで連続的に変化するＬＶＦ１０８ａと、光源１０１ａとＬＶＦ１０８ａとの間に配置され、ＬＶＦ１０８ａを透過する透過光の強度が３９０ナノメートルから７１０ナノメートルまでの区間において略同一になるように、光源１０１ａからの光の強度を波長ごとに調節するフラット化フィルタ１０４ａとを備える。このようにしたので、分光装置１から分光感度の測定対象となる光学機器に対して、均一なスペクトルを有する透過光を出射することができる。
【００３２】
（２）光源１０１ａとＬＶＦ１０８ａとの間に配置されたフラット化フィルタ１０４ａは、３９０ナノメートル以下の波長の光および７１０ナノメートル以上の波長の光を遮蔽する。このようにしたので、測定対象外の波長域の光が第１発光部１０から出射されず、分光感度測定の精度が向上する。
【００３３】
（３）ＬＶＦ１０８ａの近傍に、ＬＶＦ１０８ａからの透過光の一部を遮蔽する遮光板１０９ａを設けた。遮光板１０９ａは、ＬＶＦ１０８ａのｘ方向に沿って配置された、透過波長の指標となる光を通過させる複数のピンホール６１を備える。このようにしたので、ＬＶＦ１０８ａのｘ方向の各位置において、どのような波長の光が透過するのかを容易に特定することができる。
【００３４】
（４）遮光板１０９ａに設けられたピンホール６１は、ＬＶＦ１０８ａの透過光を通過させる。換言すれば、ピンホール６１はＬＶＦ１０８ａに重なる位置に配置されている。このようにしたので、ＬＶＦ１０８ａと遮光板１０９ａの組み付けを容易にすることができる。
【００３５】
（５）分光装置１は、ＬＶＦ１０８ａを複数備えている。このようにしたので、第１発光部１０の発光領域の面積を大きく取ることができ、分光感度の測定精度が向上する。
【００３６】
（６）光源１０１ａとＬＶＦ１０８ａの間に配置された光量調節部１０３ａは、光源１０１ａからＬＶＦ１０８ａに向かう光を、当該光のスペクトルを維持したまま減光させる。このようにしたので、例えば特定の波長の光の強度が大きく落ち込んでしまうなど、光量の調節に伴って分光感度の測定に不利な状態となることを回避することができる。
【００３７】
（７）ＬＶＦ１０８ａと第１発光部１０との間に、拡散板１１０ａを設けた。このようにしたので、例えばデジタルカメラ２の焦点深度が深い場合などにおいて、ＬＶＦ１０８ａの前後の像までカメラ２に撮像されてしまうことを防止することができる。
【００３８】
（第２の実施の形態）
図７は、本発明の第２の実施の形態に係る分光感度測定システムを構成する分光装置の構成を示すブロック図である。本実施形態の分光装置１は、第１の実施形態に係る分光装置１と比べて、遮光板１０９ａから先の構成のみが異なっている。以下、第１の実施の形態と同一の箇所については第１の実施形態と同一の符号を付し、説明を省略する。また、図７では第１ブロック１１についてのみ図示しているが、第２ブロック２１の構成は第１ブロック１１の構成と同様であるため説明を省略する。
【００３９】
本実施形態の分光装置１では、遮光板１０９ａの先には拡大レンズ１１１ａが設けられ、ＬＶＦ１０８ａを透過し遮光板１０９ａに遮光されなかった光が入射するようになっている。拡大レンズ１１１ａは、入射光を拡大し、第１発光部１０の近傍に設けられた透過型拡散板１１２ａを照明する。これにより、透過型拡散板１１２ａには、ＬＶＦ１０８ａの拡大像が映し出されることになる。利用者は、この拡大像を、測定対象の光学機器（例えばデジタルカメラ２など）により撮影し、分光感度解析装置により当該光学機器の分光感度を得る。
【００４０】
上述した第２の実施の形態による分光感度測定システムによれば、次の作用効果が得られる。
（１）ＬＶＦ１０８ａの透過光が拡大レンズ１１１ａにより拡大され、第１発光部１０から出射する。このようにしたので、第１発光部１０における発光領域の面積を、遮光板１０９ａの開口部６０ａ、６０ｂの面積よりも大きくすることができ、分光感度の測定精度を向上させることができる。
【００４１】
（第３の実施の形態）
上述した第１の実施の形態および第２の実施の形態では、デジタルカメラ２などの光学機器の分光感度を測定するための分光感度測定システムについて述べた。第３の実施の形態に係る分光感度測定システムは、それらとは異なり、例えばイメージセンサや光感受性材料等の試料の分光感度を測定するためのシステムである。以下、本実施形態に係る分光感度測定システムに含まれる分光装置について説明する。なお、第１の実施の形態と同一の箇所については第１の実施形態と同一の符号を付し、説明を省略する。
【００４２】
図８は、本発明の第３の実施の形態に係る分光感度測定システムを構成する分光装置の構成を示すブロック図である。本実施形態の分光装置１は、第１の実施形態に係る分光装置１と比べて、遮光板１０９ａから先の構成のみが異なっている。なお、図８では第１ブロック１１の構成のみを図示している。第２ブロック２１の構成は第１ブロック１１の構成と同様であるので、説明を省略する。
【００４３】
本実施形態では、遮光板１０９ａにより遮光されなかったＬＶＦ１０８ａの透過光は、照明レンズ１１３ａに入射する。利用者は予め、照明レンズ１１３ａから出射される光が試料１１４に照明されるよう、ＬＶＦ１０８ａと共役な位置に試料１１４を配置しておく。なお、照明レンズ１１３ａから試料１１４に照明される照明光は、テレセントリック照明であることが望ましい。利用者は、分光装置１からの照明光が照明された試料１１４から、当該試料１１４に即した方法により分光感度を得ることができる。
【００４４】
上述した第３の実施の形態による分光感度測定システムによれば、第１の実施の形態と同様の作用効果を、光学機器ではなくイメージセンサや光感受性材料等の試料１１４について得ることができる。
【００４５】
次のような変形も本発明の範囲内であり、変形例の一つ、もしくは複数を上述の実施形態と組み合わせることも可能である。
【００４６】
（変形例１）
フラット化フィルタ１０４ａは、複数（例えば２つ）の異なるフィルタとして構成することも可能である。例えば、フラット化フィルタ１０４ａの代わりに、可視光線ではない光を遮光する１つ目のフィルタと、第１発光部１０から出射される光のスペクトルを略均一にする２つ目のフィルタを第１ブロック１１に備えさせてもよい。
【００４７】
（変形例２）
ピンホール６１が、ＬＶＦ１０８ａと重ならない位置に設けられていてもよい。すなわち、ピンホール６１が、光源１０１ａからの光のうち、ＬＶＦ１０８ａを透過していない光を通過させるようにしてもよい。また、ピンホール６１を透過する光は、光源１０１ａ以外の光源からの光であってもよい。分光感度の測定対象の光学機器や試料がほとんど検知できない波長近傍のピンホール６１は、分光感度解析装置の表示画面において、利用者から視認することが難しいが、上記のようにすることで、各ピンホール６１を利用者が容易に視認できるようになり、分光感度解析装置の操作性が向上する。
【００４８】
（変形例３）
第１の各実施形態では、分光装置１が２つの発光部（第１発光部１０、第２発光部２０）を備えていたが、本発明はこのような実施形態に限定されない。例えば、可視光から赤外光までの広い波長域に対応する単一の発光部を分光装置１に設けてもよい。また、それほど広い波長域について分光感度を測定する必要が無い（例えば可視光域についてのみ分光感度を測定できればよい）場合には、その波長域に対応する発光部を１つだけ用意すればよい。逆に、分光装置１により多数の発光部を設けてもよい。
【００４９】
（変形例４）
第１の実施形態では、分光装置１が複数のＬＶＦ１０８ａを備えていたが、本発明はこのような実施形態に限定されない。例えば、遮光板１０９ａに開口部６０ａのみを設け、ＬＶＦ１０８ａも開口部６０ａに対応するものだけにしてもよい。また、開口部６０ａの形状は、第１の実施の形態で説明した形状（図５に示した形状）に限定されない。１つのＬＶＦ１０８ａに対し、遮光板１０９ａが多数の開口部を備えるようにしてもよい。
【００５０】
（変形例５）
分光装置１は、第１の実施の形態で説明した全ての光学部材を必ずしも備えていなくてよい。例えば図２において、集光レンズ１０５ａやバンドルファイバ１０６ａ、照明レンズ１０７ａなどは省略してもよい。また、分光装置１が光源１０１ａを内蔵していなくてもよい。例えば、分光装置１の外部に設けられた光源からの光を、分光装置１の筐体に設けられた開口部から第１ブロック１１に導くようにしてもよい。その際、分光装置１の筐体内にコリメート済みの光が入射するのであれば、コリメートレンズ１０２ａを省略することも可能である。
【００５１】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００５２】
１…分光装置、１０…第１発光部、１１…第１ブロック、２０…第２発光部、２１…第２ブロック、１０１ａ、１０１ｂ…光源、１０２ａ、１０２ｂ…コリメートレンズ、１０３ａ、１０３ｂ…光量調節部、１０４ａ、１０４ｂ…フラット化フィルタ、１０５ａ、１０５ｂ…集光レンズ、１０６ａ、１０６ｂ…バンドルファイバ、１０７ａ、１０７ｂ…照明レンズ、１０８ａ、１０８ｂ…リニアバリアブルフィルタ（ＬＶＦ）、１０９ａ、１０９ｂ…遮光板、１１０ａ、１１０ｂ…拡散板、１１１ａ…拡大レンズ、１１２ａ…照明レンズ
【図１】
0006003248.tif 000002
【図２】
0006003248.tif 000003
【図３】
0006003248.tif 000004
【図４】
0006003248.tif 000005
【図５】
0006003248.tif 000006
【図６】
0006003248.tif 000007
【図７】
0006003248.tif 000008
【図８】
0006003248.tif 000009